(57)【特許請求の範囲】
【請求項１】
中央装置と複数の端末装置と複数の中継装置とで構成され、双方向にデータ通信するネットワークシステムにおいて、
前記ネットワークシステムはＴＶ信号を片方向に、データ信号を双方向に送信するＣＡＴＶシステムであり、
前記複数の端末装置と前記複数の中継装置の各機器は、ＧＰＳ測位装置による位置情報を有し、
前記中央装置は、前記各機器の有する前記位置情報を収集し前記各機器の配備地図を作製する配備地図作製手段を備え、
前記各機器は、前記ＧＰＳ測位装置を有し、
前記位置情報の収集は、前記中央装置がアドレスを指定し前記各機器がデータを送信するポーリング方式によるものであり、
前記ネットワーク位置管理システムは他の回線網と、該他の回線網に接続された携帯型端末装置を備え、
前記配備地図は、前記回線網を経由して前記携帯端末装置の画面上に作製される
ことを特徴とするネットワーク位置管理システム。
【請求項２】
中央装置と複数の端末装置と複数の中継装置とで構成され、双方向にデータ通信するネットワークシステムにおいて、
前記ネットワークシステムはＴＶ信号を片方向に、データ信号を双方向に送信するＣＡＴＶシステムであり、
前記複数の端末装置と前記複数の中継装置の各機器は、ＧＰＳ測位装置による位置情報を有し、
前記中央装置は、前記各機器の有する前記位置情報を収集し前記各機器の配備地図を作製する配備地図作製手段を備え、
前記各機器の記憶装置には、前記ＧＰＳ測位装置によって測定された、配備個所の位置情報（緯度と経度）が入力されており、
前記位置情報の収集は、前記中央装置がアドレスを指定し前記各機器がデータを送信するポーリング方式によるものであり、
前記ネットワーク位置管理システムは他の回線網と、該他の回線網に接続された携帯型端末装置を備え、
前記配備地図は、前記回線網を経由して前記携帯端末装置の画面上に作製される
ことを特徴とするネットワーク位置管理システム。
【請求項３】
前記回線網は、電話回線網であることを特徴とする請求項１又は請求項２に記載のネットワーク位置管理システム。
【請求項４】
前記回線網は、インタネットであることを特徴とする請求項１又は請求項２に記載のネットワーク位置管理システム。
【発明の詳細な説明】
【０００１】
【発明の属する技術分野】
本発明は、ネットワークシステムにおける中継装置、端末装置等を保守管理するため、それら各機器の位置を把握するネットワーク位置管理システムに関する。特に、各機器が位置情報を有し、中央装置がそれらの位置を地図上に展開することによって、伝送路上の各機器の取り付け位置を容易に確認することができる装置に関する。これにより、効率よく各機器を保守できるシステムに関する。
本発明は、ＣＡＴＶシステムにおける中継装置、又は電力供給システムにおける中継装置の位置管理に適用される。
又、各家庭に設置される情報処理機能を有した機器（テレビ、電話、冷蔵庫等の将来情報回線と接続可能な電気機器、現に情報回線と接続されているコンピュータ、警備機器等を含む）の設置箇所を地図上で容易に確認でき、それらの保守や警備を容易とするシステムに用いることができる。
【０００２】
【従来の技術】
従来より、例えば、ネットワークシステムにおいて中央装置が複数の中継装置または複数の端末装置の保守をする保守管理するシステムがある。それは、上記中継装置または端末装置等の各機器にアドレスを割り当て、中央装置からそのアドレスを順次指定して、各機器の機器データを収集し管理する所謂ポーリング方式による保守管理システムである。
【０００３】
例えば、市中に配備された中継装置に障害が起こると、それより下流側に送られるデータ信号に影響が現われる。これらは、上記機器データを管理によりすることにより検知される。その場合は、中央装置は例えば、先ずその障害が発生している機器をＯＦＦし、その機器が有するバイパス回路をＯＮする。これにより、その機器より下流にある中継器又は端末装置への障害波及を回避させている。
【０００４】
【発明が解決しようする課題】
しかしながら、上記制御による修復は根本的な復旧ではない。根本的な復旧には、管理者がその障害が発生した場所に出向き、障害が発生した機器の部品交換等が必要である。
そのためには、先ず上記中継装置および端末装置の敷設時に作業者が、地図上にその機器の配備個所にその機器番号を書き込み、全体の配備地図を作製する必要がある。そして保守管理時には、管理者はその機器番号からその所在地を地図上で割り出して出向する必要があった。
又、これらの保守管理を容易にする為に、ネットワーク敷設時に接続されている各種の機器を地図上に配置して、ネットワーク配置図を作成している。従来は、このネットワーク配置図は、コンピュータのＣＡＤを利用して作業者が作成している。
従って、新たに機器を配備する場合や、機器の位置を変更する場合には、新たにその配備地図に記入したり、ネットワーク配置図を変更し修正する必要があった。
【０００５】
本発明は、上述した問題点を解決するためになされたものであり、上記システムの各機器にＧＰＳ測位装置によって測定された位置情報を備えさせ、各機器のその位置情報を中央装置が読んで、正確なネットワーク配備地図を自動作製することである。
また、市中にて保守管理対象機器の位置を地図上で特定し、管理者に効率よく保守管理を行わせることである。
【０００６】
【課題を解決するための手段】
上記の課題を解決するために、請求項１及び請求項２に記載のネットワーク位置管理システムは、中央装置と複数の端末装置と複数の中継装置とで構成され、双方向にデータ通信するネットワークシステムであって、複数の端末装置と複数の中継装置の各機器がＧＰＳ測位装置による位置情報を有し、中央装置が各機器の有する位置情報を収集しその各機器の配備地図を作製する配備地図作製手段を備える。
【０００７】
上記各機器は、例えば市中配備の際にＧＰＳ測位装置によって、配備個所の位置情報（緯度と経度）が測定されて入力される。そして、中央装置はその各機器のその位置情報を例えばアドレスと共に収集して、配備地図作製手段によって、例えばそのアドレスと位置情報を対応させて配備地図を作製する。即ち、例えばそのアドレスを機器番号として、その番号が地図上に記入された配備地図を作製する。この地図は、電子化地図、及び紙面に印刷された紙面地図の両者を意味する。電子化地図とは、記憶装置に記憶されディスプレイ装置に表示される地図である。
これにより、管理者は上記各機器の新たな配備、又は移動があっても、上記地図への設定または修正をする必要がなく自動的に配備地図を得ることができる。また、常に各機器の更新された位置を知ることができる。これにより、管理者は常に各機器の正しい位置を把握でき、効率よく保守管理をすることができる。
尚、上記ネットワークシステムは、公衆電話回線網又は広域ＬＡＮ、広域セキュリティ回線網、電力供給網等の専用回線網とそれに接続された全ての機器を含む。特に、地中に埋設された各機器の位置特定に有効である。
さらに、各機器は、ＧＰＳ測位装置によって得られた位置情報を記憶手段に記憶して中央装置に位置情報を出力したり、中央装置からのポーリングに応答してデータを出力するものでも良い。又、各機器のＧＰＳ測位装置により測定された位置情報を中央装置に各機器の接続されているネットワーク又は他のネットワークを用いて伝達するようにしても良い。
【０００８】
請求項１に記載のネットワーク位置管理システムは、各機器がＧＰＳ測位装置を更に有している。
これにより、各機器の配備時にＧＰＳ測位装置による位置を各機器に入力する必要がない。よって、各機器の配備が簡単なネットワークシステムとなる。
また、このＧＰＳ測位装置を有した各機器は、必要があれば任意の個所に移動して使用することができる。現在の位置を測定することができるので、移動しても正確な位置情報を送信することができる。よって、柔軟性に富んだネットワークシステムが構築できる。
【０００９】
請求項１及び請求項２に記載のネットワーク位置管理システムは、位置情報の収集は、中央装置がアドレスを指定して各機器がデータを送信するポーリング方式による。
ポーリング方式は、中央装置が例えば各機器に割り当てられたアドレスに従って順次又は点呼式でモニタ信号を送信し、そのモニタ信号を受信した各機器がその状態を知らせる方式である。その状態とは、例えば各機器の供給電圧データ、供給電流データ、中央装置側からのパイロット信号レベル、そして各機器の位置情報である緯度、経度等の機器データである。
中央装置は、上記ポーリング方式により、必要時に、必要な機器の位置情報を収集することができる。従って、より効率よく各機器の位置管理をするネットワーク位置管理システムとなる。
又、各機器に測定された位置情報を記憶する記憶手段を設けておけば、中央装置は、任意の時に、その位置情報を得ることができる。さらに、位置情報が正規の位置から予定せずに移動している場合には、盗難等の発生と見ることもできる。
【００１０】
請求項１に及び請求項２記載のネットワーク位置管理システムは、そのネットワークシステムはＴＶ信号を片方向（下流）に、データ信号を双方向に送信するＣＡＴＶシステムである。
ＣＡＴＶシステムの中継装置及び端末装置に上記位置情報を持たせれば、ＣＡＴＶ局の中央装置は、上記の様に各機器の位置が把握でき、それらを効率よく保守管理できる。
従って、障害時には即座にその位置を判別し、速やかに対処できる。よって、長時間に渡り、ＴＶ信号の乱れを下流へ波及させることはない。よって、ＣＡＴＶシステムの保守管理にも有効なネットワーク位置管理システムとなる。
【００１１】
請求項１及び請求項２に記載のネットワーク位置管理システムは、ネットワーク位置管理システムは他の回線網とその他の回線網に接続された携帯型端末装置を備え、各機器の配備地図は、その回線網を経由して携帯型端末装置の画面上に作製される。
これにより、管理者は例えば市中にて各機器の位置を携帯型端末装置の画面上で把握することができる。よって、市中にて即座に対応できる利便性に優れたネットワーク位置管理システムとなる。
【００１２】
請求項３に記載のネットワーク位置管理システムによれば、ネットワーク位置管理システムに接続される回線網は、電話回線網であることを特徴とする。
電話回線網は、広く分布している。よって、管理者は市中にて簡単に上記配備地図を見ることができる。これにより、例えば市中の障害発生機器の特定を容易にするネットワーク位置管理システムとなる。
【００１３】
請求項４に記載のネットワーク位置管理システムによれば、ネットワーク位置管理システムに接続される回線網は、インタネットであることを特徴とする。
インタネットは、地図等の画像データを高速に安価に転送できる。よって、インタネットを経由して、市中の管理者にその地図を転送すれば、その保守管理コストを低減することができる。
【００１４】
【発明の実施の形態】
以下、本発明の実施の形態について図面を参照して説明する。なお、本発明は下記実施例に限定されるものではない。
（第１実施例）
図１に、本発明のネットワーク位置管理システムを示す。図は、ＣＡＴＶシステムの構成図である。本発明のネットワーク位置管理システムは、ＣＡＴＶ局１０に配設された中央装置１４、中央装置１４に設けられた地図データベース１５、地図データを出力するプリンタ１６、ポーリング方式により収集した情報を記憶する情報記憶部１７、中央装置１４から敷設された光ファイバケーブル２０、光ファイブケーブル２０の途中に複数設けられた中継装置３０、その中継装置３０に接続された局所ネット５０及び中継装置３０から敷設された同軸ケーブル４０に直接接続された端末装置５５から構成される。尚、局所ネット５０はネット状に敷設された同軸ケーブル４０とそれに接続された複数の端末装置５５から構成される。
そして、各機器である端末装置５５、中継装置３０には、携帯型ＧＰＳ（Ｇｌｏｂａｌ  Ｐｏｓｉｔｉｏｎｉｎｇ    Ｓｙｓｔｅｍ  ）測位装置で測定された位置情報６０（緯度、経度）とそれぞれのアドレスが入力されて記憶装置に記憶されている。
尚、中央装置１４に書かれた図示しないプログラムと地図データベース１５と情報記憶部１７が配備地図作製手段を構成し、その図示しないプログラムによって情報記憶部１７の位置情報が地図データベース１５上に記入される。
【００１５】
上記位置情報６０は、その機器の敷設の際にＧＰＳ測位装置で緯度と経度を測定し、手動あるいは電気的に入力されるものである。ＧＰＳ測位装置は、複数の衛星から発信される電波の位相差から、三角測量の原理でその装置の位置を緯度と経度で確定するものである。その精度は、３０ｍ〜１００ｍであり、衛星からの電波とＦＭ局等の地上波を利用したＤＧＰＳ（Ｄｉｆｆｅｒｅｔｉａｌ    Ｇｌｏｂａｌ  Ｐｏｓｉｔｉｏｎｉｎｇ    Ｓｙｓｔｅｍ  ）を使用すれば数ｍとなる。これにより、上記中継装置３０等の各機器の位置を精度よく求めることができる。
【００１６】
図２に示す中央装置１４の位置管理フローチャートに従って、各要素の機能を説明する。尚、この位置管理フローチャートは、各機器の配備地図を作製すると共に異常データを示す機器の位置を示すものである。
中央装置１４は、先ずステップＳ１で各機器に割り当てられたアドレスを更新する。そしてそのアドレスを、例えばモニタ信号として光ファイバケーブル２０を介して送出する。各機器の１つである、例えば中継装置３０はそのアドレスを読みアドレスが一致すれば、所定のプログラムに従って現在の機器データを中央装置１４に送信する。ここに、機器データとは例えば、中継装置３０に供給されている供給電圧等の電気的データと配備された位置情報６０である緯度、経度である。
【００１７】
ステップＳ２では、中央装置は各機器から送信された上記機器データを受信し、情報記憶部１７に記憶する。即ち、中央装置１４は、所謂ポーリング方式で各機器からその位置と現在の位置情報６０を含んだ機器状態を把握する。
【００１８】
ステップＳ３では、中央装置１４は受信した機器データを所定の基準データと比較し、その差が所定値以上であれば異常として検知する。また、各機器から応答がない場合も異常と判断する。応答がない場合は、そのアドレスに対応した過去の位置情報６０を採用する。異常がなければ、ステップＳ１に戻り、次の機器のアドレスに更新する。
【００１９】
機器データに異常があれば、ステップＳ４に移行し異常のあった機器のアドレスとその位置情報６０を地図データベース１５に出力する。
地図データベース１５は、その入力された位置情報６０から緯度と経度を読み、その機器のアドレスを地図上に設定する。この時、この設定は注意を喚起する色調で設定する。
【００２０】
ステップＳ６では、全ての機器について調査が完了か否かを判定する。完了していなければ、ステップＳ１に戻りアドレスを更新して、対象を次の機器に移す。全ての機器について終了であれば、ステップＳ７に移行する。
【００２１】
ステップＳ７では、各機器の位置情報６０が記憶された情報記憶部１７を使用して、上記異常機器の位置と他の正常な機器の位置とを地図データベース１５上に設定し、各機器の配備地図としてプリンタ１６から出力させる。
【００２２】
このような手順で、異常のある機器と正常な機器が検知され、配備地図が作製される。従って、管理者はその出力された異常機器を地図上で見ることにより、的確にその位置を把握し、それを復旧させることができる。
上記実施例は、主として、異常があった機器を特定するのに使用しているが、ネットワークの敷設時、その後の機器の交換時、機器の配置されている位置の変更時、又は、伝送路の変更時に位置情報を収集して、機器の配備地図を作成するようにしても良い。即ち、図２において、ステップＳ３の判定をなくすことで、ネットワークの配備地図を作成することができる。
【００２３】
（第２実施例）
図３に本発明の第２実施例を示す。図は、第１実施例と同じくＣＡＴＶシステムの構成図である。第１実施例と異なる所は、ＣＡＴＶ局１０の中央装置１４が電話回線５を介して電話局４に接続されたこと及び、携帯電話７２、ＧＰＳ測位仕装置７３、携帯型コンピュ−タ７４からなる携帯型端末装置７０を備えたことである。そして、中央装置１４が電話回線５を介して、この携帯型端末装置７０の画面７５上に各機器の配備地図を作製することが特徴である。
これにより、不案内な市中においても容易に保守対象機器を特定する配備地図を得ることができる。尚、配備地図作製過程は、第１実施例と同様である。また、図３では第１実施例と共通の要素は、一部省略されている。
【００２４】
携帯型端末装置７０の作用を簡単に説明する。先ず、携帯型端末装置７０は、携帯電話７２を介して中央装置１４から、例えば保守対象機器のアドレスと位置情報６０（緯度、経度）、及びその緯度、経度を中心に含む配備地図を受信する。そして、図示しないＲＡＭに読み込み、それをディスプレイ７５に表示する。即ち、中央装置１４は、各機器の配備地図を電話回線５を介して携帯型端末装置７０の画面７５上に作製する。
【００２５】
配備地図データを受け取った管理者は、次にＧＰＳ測位装置７３をＯＮし、現在位置を測定させて同じく上記地図上に表示させる。これにより、管理者は現在位置と保守管理対象機器との相対位置関係を即座に把握することができる。
また、ＧＰＳ測位装置７３を常時ＯＮし、市中を移動すれば保守管理対象機器との距離変化が把握され、容易に保守管理対象機器を特定することができる。
特に上述のＤＧＰＳ測位システムを使用すれば、近接した機器を正確に判別することができる。本発明のネットワーク位置管理システムは、このように用いることができる。
【００２６】
（第３実施例）
上記携帯型端末装置７０は、表示する配備地図を電話回線から読み込んでいたが、地域によっては携帯電話料金は高コストである。この様な場合には、この第３実施例の管理システムが有効である。尚、配備地図作製過程は、第１実施例と同様である。
【００２７】
図４に第３実施例のネットワーク位置管理システムを示す。第３実施例の特徴は、ＣＡＴＶ局１０に接続されたインタネット１００を介して詳細な地図データを携帯型端末装置７０の画面上７５に作製することである。これにより、詳細な地図データが安価に送信でき、保守管理のコストを低減することができる。
本実施例のネットワーク位置管理システムは、第２実施例のシステムに加えて、インタネット線路１００、およびインタネット１００と電話回線５を接続するインタネット配信装置（事業者）１１０を備えたことである。このようなシステムとすれば、第２実施例より更に安価に配備地図を管理者に送信できる。
【００２８】
簡単に説明すると、本実施例では先ず管理者は、携帯電話７２を介して保守管理対象機器のアドレスを中央装置１４より受信する。次に、管理者はインタネット配信装置（事業者）１１０にアクセスし、インタネット１００を介して、中央装置１４に上記アドレスを有する機器の配備地図の転送要求をする。ＣＡＴＶ局１０には、インタネット専用回線１２０を介してインタネット１００と接続されているので、携帯型端末装置７０は直接データ転送の要求ができる。これにより、高速に詳細な地図データを得ることができる。
又この時、管理者は近隣の最も近いインタネット接続装置１１０を介して、インタネット１００に接続する。これにより、遠隔地での保守管理であっても安価に詳細な配備地図を得ることができる。よって、その保守管理コストを低減させることができる。
【００２９】
（変形例）
以上、本発明を表わす１実施例を示したが、他にさまざまな変形例が考えられる。
例えば、第１実施例では各機器が位置情報６０を例えば記憶装置中に備えていたが、ＧＰＳ測位装置をそれぞれ備えていても良い。そのＧＰＳ測位装置が中央装置からの指令を受け、現在位置を測定しその測定値を応答してもよい。
【００３０】
また、第２実施例では、中央装置１４は有線の電話回線に接続されているが、携帯電話７２と同様に無線の電話回線に接続されていても良い。同様なシステムを構成することができ、同様な効果が得られる。
このシステムを警備システムに使用すると、緊急呼び出しを発信している端末装置の地図上の位置を容易に特定することができ、警備員が現場に急行するのが容易となる。また、電話回線に使用するとすると、１１０番、１１９番等の緊急通報をする場合に、電話器に記憶されている位置情報がセンタに通知され、センタは地図上のその発信位置を容易に特定することができる。
【図面の簡単な説明】
【図１】本発明の第１実施例に係わるネットワーク位置管理システム構成図。
【図２】第１実施例の係る中央装置による各機器の位置管理時の動作を示すフローチャート。
【図３】第２実施例に係わるネットワーク位置管理システム構成図。
【図４】第３実施例に係わるネットワーク位置管理システム構成図。
【符号の説明】
４          電話局
５          電話回線
１０        ＣＡＴＶ局
１４        中央装置
１５        地図データベース
１６        プリンタ
１７        情報記憶部
２０        光ファイバケーブル
３０        中継装置
４０        同軸ケーブル
５０        局所ネット
５５        端末装置
７０        携帯型ナビゲーション装置
７１        地図データベース
７２        携帯電話
７３        ＧＰＳ測位装置
７４        携帯型コンピュ−タ
１００      インタネット
１１０      インタネット配信装置
１２０      インタネット専用回線
【図１】
0003558928.tif 000002
【図２】
0003558928.tif 000003
【図３】
0003558928.tif 000004
【図４】
0003558928.tif 000005